(57)【要約】【課題】接続すべき光ケーブルの端部を固定するケーブル固定金具と、光ケーブルのテンションメンバを把持固定する引留金具と、光ファイバ心線の接続部と余長を収納する余長収納部材とを備えた光ケーブル接続部材において、光ファイバ心線の余長が短くて済むようにし、接続作業を簡素化する。【解決手段】余長収納部材として、長手方向に多数のスリットが形成された筒状部材又は樋状部材からなり、前記スリットに光ファイバ心線接続部を押し込んで挟持させることにより光ファイバ心線接続部を保持し、光ファイバ心線の余長を前記筒状部材又は樋状部材の内側スペースに収納するようになっているものを使用する。【選択図】　　　図１
2004094053.tif 000002
【特許請求の範囲】
【請求項１】
光ファイバ心線の接続部と余長を収納する余長収納部材であって、長手方向に多数のスリットが形成された筒状部材又は樋状部材からなり、前記スリットに光ファイバ心線接続部を押し込んで挟持させることにより光ファイバ心線接続部を保持し、光ファイバ心線の余長を前記筒状部材又は樋状部材の内側スペースに収納するようになっていることを特徴とする光ファイバ心線余長収納部材。
【請求項２】
接続すべき光ケーブルの端部を固定するケーブル固定金具と、光ケーブルのテンションメンバを把持固定する引留金具と、光ファイバ心線の接続部と余長を収納する余長収納部材とを備えた光ケーブル接続部材であって、前記余長収納部材として請求項１記載の余長収納部材を用いたことを特徴とする光ケーブル接続部材。
【発明の詳細な説明】
【０００１】
【発明の属する技術分野】本発明は、光ファイバ心線の接続部と余長を収納する余長収納部材と、それを用いた光ケーブルの接続部材に関するものである。
【０００２】
【従来の技術】図３に従来の光ケーブル接続部材を示す。図において、１０Ａ、１０Ｂは接続すべき光ケーブル、１２Ａ、１２Ｂは光ケーブル１０Ａ、１０Ｂのテンションメンバ、１４Ａ、１４Ｂは光ケーブル１０Ａ、１０Ｂの光ファイバ心線、１６は光ファイバ心線１４Ａ、１４Ｂの接続部、１８は接続箱、２０Ａ、２０Ｂは接続箱１８内に設置されたケーブル固定金具、２２Ａ、２２Ｂは同じくテンションメンバ引留金具、２４は光ファイバ心線１４Ａ、１４Ｂの接続部１６と余長を収納する余長収納トレイである。
【０００３】光ファイバ心線接続部１６は一般に、光ファイバ心線１４Ａ、１４Ｂを融着接続し、その部分を補強スリーブ（補強線入り熱収縮スリーブ）で補強した構造である。余長収納トレイ２４は、上記のように補強スリーブで補強された光ファイバ心線接続部１６を所定の位置に収納すると共に、光ファイバ心線１４Ａ、１４Ｂの余長を輪取りにして収納するようになっている（例えば特許文献１参照）。
【０００４】
【特許文献１】特開平９−１０５８２２号公報
【０００５】
【発明が解決しようとする課題】しかし従来の光ケーブル接続部材に用いられる余長収納トレイ２４は、光ファイバ心線接続部１６を予め決められた位置にしか収納することができないため、光ファイバ心線１４Ａ、１４Ｂの接続余長を長くとる必要があり、またその余長を輪取りにして収納するスペースも確保しなければならない。さらに接続部１６を所定の位置に収めるためには、接続部１６の両側の光ファイバ心線１４Ａ、１４Ｂの余長が同じになるように調整しなければならず、接続作業が煩雑になる。
【０００６】本発明の目的は、以上のような課題を解決した光ファイバ心線余長収納部材と、それを用いた光ケーブル接続部材を提供することにある。
【０００７】
【課題を解決するための手段】本発明に係る光ファイバ心線余長収納部材は、光ファイバ心線の接続部と余長を収納する余長収納部材であって、長手方向に多数のスリットが形成された筒状部材又は樋状部材からなり、前記スリットに光ファイバ心線接続部を押し込んで挟持させることにより光ファイバ心線接続部を保持し、光ファイバ心線の余長を前記筒状部材又は樋状部材の内側スペースに収納するようになっていることを特徴とするものである。
【０００８】また本発明に係る光ケーブル接続部材は、接続すべき光ケーブルの端部を固定するケーブル固定金具と、光ケーブルのテンションメンバを把持固定する引留金具と、光ファイバ心線の接続部と余長を収納する余長収納部材とを備え、前記余長収納部材が、長手方向に多数のスリットが形成された筒状部材又は樋状部材からなり、前記スリットに光ファイバ心線接続部を押し込んで挟持させることにより光ファイバ心線接続部を保持し、光ファイバ心線の余長を前記筒状部材又は樋状部材の内側スペースに収納するようになっていることを特徴とするものである。
【０００９】本発明に係る光ファイバ心線余長収納部材は主に光ケーブル接続部材の一部として使用されるものであるが、それ以外例えば配線ボックス内での光ファイバ心線の接続などにも使用可能である。
【００１０】
【発明の実施の形態】以下、本発明の実施の形態を、図面を参照して詳細に説明する。
【００１１】図１（Ａ）は本発明に係る光ケーブル接続部材の一実施形態を示す。この光ケーブル接続部材は、接続箱１８内に、接続すべき光ケーブル１０Ａ、１０Ｂの端部を固定するケーブル固定金具２０Ａ、２０Ｂと、上記光ケーブルのテンションメンバ１２Ａ、１２Ｂを把持固定する引留金具２２Ａ、２２Ｂと、上記光ケーブルの光ファイバ心線１４Ａ、１４Ｂの接続部１６と余長を収納する余長収納部材２６とを備えている。
【００１２】余長収納部材２６は図１（Ｂ）に示すように長手方向に伸びるスリット２８が周方向に適当な間隔をおいて多数形成された筒状部材３０で構成されている。各スリット２８の幅は光ファイバ心線接続部１６の太さ又は厚さより若干小さく設定され、スリット２８に心線接続部１６を押し込んで挟持させることにより心線接続部１６を保持するようになっている。各スリット２８の長さは心線接続部１６の長さより長く設定され、心線接続部１６をスリット２８の長手方向の適当な位置に保持できるようになっている。このような余長収納部材２６はプラスチック又は金属で形成することができる。
【００１３】上記のような余長収納部材２６を用いると、心線接続部１６を筒状の余長収納部材２６の長手方向及び周方向に適当な位置に保持できるので、光ファイバ心線１４Ａ、１４Ｂの余長を短くできる。また光ファイバ心線１４Ａ、１４Ｂの余長は筒状の余長収納部材２６の内側に弛ませるようにして収納できる。さらに心線接続部１６の両側の光ファイバ心線１４Ａ、１４Ｂの余長を同じ長さに揃える必要がなくなるので、接続作業を簡素化できる。
【００１４】図２は本発明に係る余長収納部材２６の他の実施形態を示す。この余長収納部材２６は、長手方向に多数のスリット２８が形成された樋状部材３２で構成されているものである。光ファイバ心線の接続部と余長の収納の仕方は図１の実施形態と同様である。このような樋状の余長収納部材２６を用いても前記実施形態と同様の効果が得られる。
【００１５】
【発明の効果】以上説明したように本発明によれば、光ファイバ心線の接続部と余長を収納する余長収納部材を、長手方向に多数のスリットが形成された筒状部材又は樋状部材で構成し、前記スリットに光ファイバ心線接続部を保持させるようにしたことにより、光ファイバ心線接続部を余長収納部材の長手方向及び周方向の適当な位置に保持することができる。したがって光ファイバ心線の余長を短くできると共に、短い余長を余長収納部材の内側スペースに収納することができる。また光ファイバ心線接続部の両側の光ファイバ心線の余長を同じ長さに揃える必要がなくなり、接続作業を簡素化できる。
【図面の簡単な説明】
【図１】（Ａ）は本発明に係る光ケーブル接続部材の一実施形態を示す説明図、（Ｂ）は（Ａ）で用いた余長収納部材を示す斜視図。
【図２】本発明に係る余長収納部材の他の実施形態を示す斜視図。
【図３】従来の光ケーブル接続部材を示す説明図。
【符号の説明】
１０Ａ、１０Ｂ：光ケーブル
１２Ａ、１２Ｂ：テンションメンバ
１４Ａ、１４Ｂ：光ファイバ心線
１６：光ファイバ心線接続部
１８：接続箱
２０Ａ、２０Ｂ：ケーブル固定金具
２２Ａ、２２Ｂ：テンションメンバ引留金具
２６：余長収納部材
２８：スリット
３０：筒状部材
３２：樋状部材
【図１】
2004094053.tif 000003
【図２】
2004094053.tif 000004
【図３】
2004094053.tif 000005